(57)【要約】【課題】暗箱の内壁で反射した有害光が写真フイルムに到達するのを防止する。【解決手段】レンズ付きフイルムユニット２は、ユニット本体１１、前カバー１２、後カバー１３から構成される。ユニット本体１１は、本体枠２１と、露光ユニット２２とから構成されている。本体枠２１は、アパーチャ１９を形成する。アパーチャ１９に写真フイルム１７が配置される。本体枠２１には、前側遮光枠２３と後側遮光枠２４とが一体に形成されている。前側遮光枠２３は、上側面と下側面とに遮光リブ２３ａ及び遮光壁２３ｂが設けられている。遮光リブ２３ａは、撮影画角Ａ外の入射光線（図中２点鎖線）を遮光する。暗箱２５の下内壁で反射する撮影画角Ａ外の入射光線Ｌ１からＬ２の範囲内の反射光束ＬＡは、遮光壁２３ｂにより遮光され、写真フイルム１７へ到達することはない。【選択図】　　　　図７
2004145124.tif 000002
【特許請求の範囲】
【請求項１】
露光範囲を決めるアパーチャが形成された本体枠と、アパーチャ前方の撮影光路を取り囲み、撮影レンズ及び撮影開口を通ってきた光を除く外光がアパーチャに達することを阻止する四角筒状の暗箱とを有するカメラにおいて、
前方に突出して暗箱の内部に入り込むように前記本体枠に一体に形成され、前記撮影開口から入射して露光範囲外に向かう光を遮断する遮光枠を有するとともに、暗箱の内壁に対面する前記遮光枠の少なくとも下辺に沿って、光軸方向に庇状に延び暗箱の内壁で反射してアパーチャに向かう光を遮断する遮光片を一体に設けたことを特徴とするカメラ。
【請求項２】
前記本体枠に、アパーチャの前方に四角筒状に突出した遮光筒が一体成形され、この遮光筒の前方に突出するように前記遮光枠が一体に設けられていることを特徴とする請求項１記載のカメラ。
【請求項３】
前記暗箱を構成する４つの壁面のうち、上壁面よりも下壁面が光軸から離されていることを特徴とする請求項１または２記載のカメラ。
【発明の詳細な説明】
【０００１】
【発明の属する技術分野】
本発明はカメラに関し、詳しくは撮影に不要な有害光が暗箱内壁で反射してフレアを生じさせることを防ぐようにしたカメラに関するものである。
【０００２】
【従来の技術】
【特許文献１】
特開平１１−２５８６７５号公報
【０００３】
製造時に予めフイルムが装填された簡易型のカメラとしてレンズ付きフイルムユニットが広く用いられている。レンズ付きフイルムユニットはローコスト化のためにそのほとんどがプラスチックの成形品で構成され、フイルム１コマ分の露光範囲を決めるアパーチャを設けた本体枠には、アパーチャを挟むようにフイルム室とパトローネ室とが一体に形成されている。
【０００４】
アパーチャの前方には、撮影光路内に外光が入り込まないように暗箱が設けられているが、撮影レンズからは撮影画角外からの光も入射してくる。こうした撮影画角外からの光がアパーチャで決められた撮影範囲内に入射することがないように、暗箱の内部やアパーチャから前方に筒状に突出させた遮光筒に遮光枠を設けたり、また、特に上方から撮影レンズに入射してくる有害光が暗箱内で反射してフレアを生じさせることを防ぐために、暗箱の底側を深くするように底面壁を光軸から離すことが知られている（特許文献１参照）。
【０００５】
【発明が解決しようとする課題】
ところが、特許文献１などで知られる従来技術では、遮光枠は、遮光筒や暗箱と別体部品となっているため、部品点数や組立工数が増えるという難点がある。そこで、遮光枠を他の部品と一体成形することが検討されている。遮光枠は撮影レンズとフィルムとの間に、数箇所、間隔をあけて配置することが効果的であり、本体枠と一体に成形することが望ましい。
【０００６】
また、撮影画角外からの光を効果的に遮断するために、遮光枠を暗箱の内部に入り込ませることが有利であるが、アパーチャを形成した本体枠側に遮光枠を一体成形する場合には、金型構造上、後側の遮光枠内壁に比べて前側の遮光枠内壁が小さくなる。そのため、遮光枠の外周と暗箱の内壁との間に隙間ができる。さらに、暗箱内壁は有効光線からできるだけ遠ざけるのが理想であり、遮光枠の外周と暗箱の内壁との間に隙間ができてしまう。この結果、暗箱の内壁が反射した有害光が遮光枠との隙間を通ってアパーチャに達し、フレアがでやすくなるという問題が生じる。
【０００７】
本発明は上記問題を解決するためになされたもので、暗箱の内部に入り込むように本体枠に遮光枠を一体に設けながらも、暗箱の内壁で反射した有害光がフィルムまで達することを防止したカメラを提供することを目的とする。
【０００８】
【課題を解決するための手段】
上記目的を達成するために、本発明のカメラは、露光範囲を決めるアパーチャが形成された本体枠と、アパーチャ前方の撮影光路を取り囲み、撮影レンズ及び撮影開口を通ってきた光を除く外光がアパーチャに達することを阻止する四角筒状の暗箱とを有するカメラにおいて、前方に突出して暗箱の内部に入り込むように前記本体枠に一体に形成され、前記撮影開口から入射して露光範囲外に向かう光を遮断する遮光枠を有するとともに、暗箱の内壁に対面する前記遮光枠の少なくとも下辺に沿って、光軸方向に庇状に延び暗箱の内壁で反射してアパーチャに向かう光を遮断する遮光片を一体に設けたことを特徴とする。なお、前記本体枠に、アパーチャの前方に四角筒状に突出した遮光筒が一体成形され、この遮光筒の前方に突出するように前記遮光枠が一体に設けられていることが好ましい。また、前記暗箱を構成する４つの壁面のうち、上壁面よりも下壁面が光軸から離されていることが好ましい。
【０００９】
【発明の実施の形態】
図１は、本発明を実施したレンズ付きフイルムユニット２の外観斜視図である。レンズ付きフイルムユニット２は、前面に撮影レンズ４、ファインダー対物窓５などが、また、上面にシャッタボタン６や枚数表示窓７が、さらに、背面側には巻き上げノブ８がそれぞれ露呈して設けられている。
【００１０】
図２に示すように、レンズ付きフイルムユニット２は、ユニット本体１１、前カバー１２、後カバー１３から構成されている。ユニット本体１１の背面には、パトローネ１５を収納するパトローネ収納室１６と、このパトローネ１５から引き出され、ロール状に巻かれた写真フイルム１７を収納するフイルム収納室１８と、写真フイルム１７への露光範囲を決定するアパーチャ１９とが形成されている。ユニット本体１１の前面には、シャッタ機構、フイルム巻き止め機構、及びフイルムカウンタ機構などが組み込まれ、その前面に前カバー１２が被せられている。後カバー１３はユニット本体１１の背後に設けられ、前カバー１２とともにユニット本体１１の内部を光密に覆っている。後カバー１３には底蓋としてパトローネ蓋，フイルム蓋が一体に形成され、パトローネ１５及び写真フイルム１７の底部を光密に覆っている。
【００１１】
パトローネ収納室１６の上部には巻上げノブ８が取り付けられ、巻上げノブ８を回転させることにより写真フイルム１７が給送される。写真フイルム１７は、ユニット本体１１の背面と後カバー１２の前面との間に設けられたフイルム通路を通ってフイルム収納室１８からパトローネ収納室１６に向けて巻き上げられる。なお、巻き上げノブ８は、弾性自在な逆止爪の係合によりフイルム巻き上げ方向とは逆の回転が阻止されている。
【００１２】
図３に示すように、ユニット本体１１は、本体枠２１と、露光ユニット２２とから構成されている。露光ユニット２２は、ユニット本体１１のほぼ中央に形成される。この露光ユニット２２は、シャッタ機構，フイルム巻き止め機構，残り撮影可能コマ数を表示するためのカウンタ機構，ファインダ等をユニット化したものであり、暗箱２５に組み付けられている。
【００１３】
図４に示すように、本体枠２１には、前側遮光枠２３と後側遮光枠２４とが一体に形成されている。前側遮光枠２３は、上側面と下側面とに遮光リブ２３ａ及び遮光壁２３ｂが設けられており、４隅に設けられた接続ボス２３ｃにより後側遮光枠２４に接続されている。遮光リブ２３ａ及び遮光壁２３ｂは、暗箱２５の内壁で反射して写真フイルム１７に到達してしまう有害な反射光を遮光する。
【００１４】
図５は、本体枠２１の下側面２１ａを下側にしたユニット本体１１の断面図である。本体枠２１は、アパーチャ１９を形成しており、アパーチャ１９に有害な反射光が到達するのを遮断する前側遮光枠２３と後側遮光枠２４とが一体に形成されている。暗箱２５の前面には露光開口２５ａが設けられている。また、暗箱２５の前面には、シャッタ羽根２６、レンズホルダ２７が取り付けられる。シャッタ羽根２６は、露光開口２５ａを塞ぐ閉じ位置に保持される。撮影時には、シャッタ羽根２６は、シャッタボタン６の押圧に連動して動作するシャッタレバー（図示せず）　により、露光開口２５ａを開放する開き位置に移動する。その後、シャッタ羽根２６は閉じ位置に戻り、このシャッタ羽根２６の移動の間に露光開口２５ａが開かれて露光が行われる。
【００１５】
レンズホルダ２７には、その鏡胴２７ａの内部に撮影レンズ４が保持され、その後方には絞り開口２８が形成されている。また、鏡胴２７ａの前面には、レンズカバー２９が取り付けられている。撮影レンズ４はレンズホルダ２７とレンズカバー２９との間に挟み込まれて保持される。レンズカバー２９には、開口２９ａが形成されている。
【００１６】
図６に示すように、撮影画角Ａの範囲内の入射光線は、開口２９ａから入り、撮影レンズ４を通過し、絞り開口２８、露光開口２５ａ、暗箱２５、前側遮光枠２３、後側遮光枠２４、本体枠２１を通り、アパーチャ１９に配置された写真フイルム１７に到達する。遮光リブ２３ａは、撮影画角Ａ外の入射光線（図中２点鎖線）を遮光する。遮光リブ２３ａの斜面形状は、反射光が前側遮光枠２３の開口部２３ｄを通過しないような角度で形成されている。図７に示すように、遮光壁２３ｂは、暗箱２５の内壁で反射する撮影画角Ａ外の入射光線Ｌ１からＬ２の範囲内の反射光束ＬＡを遮光する。後側遮光枠２４は、遮光壁２３ｂとの間の開口を通る入射光線（図中点線）を遮光する。遮光壁２３ｂは、反射光束ＬＡを遮光するとともに、その内壁での反射光がフィルム１７に到達しないような光軸方向長さで形成されている。
【００１７】
次に、本実施形態の作用の説明をする。撮影者は、巻上げノブ８を回動させ、写真フイルム１７を巻き上げる。巻上げノブ８を回動させ続け、写真フイルム１７を１コマ分巻き上げると、シャッタレバーをチャージ位置に移動させるとともに、フイルム巻き止め機構によって巻上げノブ８がロックされる。
【００１８】
撮影者は、被写体のフレーミングを行い、シャッタボタン６を押下する。シャッタボタン６が押下されると、シャッタレバーはチャージ位置からレリーズ位置へと移動する。図７に示すように、この移動の間にシャッタ羽根２６が移動して、露光開口２５ａが開放されることにより、写真フイルム１７への露光が行われる。この写真フイルム１７への露光時に、撮影レンズ４を通過した光線は、絞り開口２８、露光開口２５ａを通り、暗箱２５に入射する。図６に示すように、遮光リブ２３ａは、撮影画角Ａ外の入射光線（図中２点鎖線）が暗箱２５の内壁で反射して写真フイルム１７に到達するのを遮断する。遮光リブ２３ａの斜面で反射した反射光も、遮光リブ２３ａの平面部で遮光されるため、写真フイルム１７に到達することはない。
【００１９】
図７に示すように、暗箱２５の内壁で反射する撮影画角Ａ外の入射光線Ｌ１からＬ２の範囲内の反射光束ＬＡは、遮光壁２３ｂにより遮光され、写真フイルム１７へ到達することはない。遮光壁２３ｂと後側遮光枠２４との間の開口を通る入射光線（図中点線）は、後側遮光枠２４により遮光される。暗箱２５を通り、本体枠２１に入射された撮影画角Ａ内の光線が、写真フイルム１７に到達し、露光が行われる。
【００２０】
このように、撮影画角Ａ外の入射光線が暗箱２５の内壁で反射して写真フイルム１７に到達するのを、遮光リブ２３ａにより遮断するとともに、撮影画角Ａ外の入射光線Ｌ１からＬ２の範囲内の反射光束ＬＡを、遮光壁２３ｂにより遮光することにより、有害な反射光が写真フイルム１７に到達するのを防ぐことができる。
【００２１】
なお、上記実施形態では、遮光リブ２３ａ及び遮光壁２３ｂを上側面及び下側面にのみ設けたが、右、左側面に設けてもよい。これにより、より一層有害な反射光を遮断するすることができ、撮影品質を向上させることができる。
【００２２】
また、上記実施形態ではレンズ付きフイルムユニットの例について説明したが、ＡＰＳフイルムカメラ、８ｍｍフイルムビデオカメラ等の各種カメラに利用することができる。
【００２３】
【発明の効果】
以上のように、本発明のカメラによれば、露光範囲を決めるアパーチャが形成された本体枠と、アパーチャ前方の撮影光路を取り囲み、撮影レンズ及び撮影開口を通ってきた光を除く外光がアパーチャに達することを阻止する四角筒状の暗箱とを有するカメラにおいて、前方に突出して暗箱の内部に入り込むように本体枠に一体に形成され、撮影開口から入射して露光範囲外に向かう光を遮断する遮光枠を有するとともに、暗箱の内壁に対面する遮光枠の少なくとも下辺に沿って、光軸方向に庇状に延び暗箱の内壁で反射してアパーチャに向かう光を遮断する遮光片を一体に設けたから、部品追加によるコストアップがなく、写真フイルムへの安定した露光を行うことができ、撮影品質を向上させることができる。また、本体枠に、アパーチャの前方に四角筒状に突出した遮光筒が一体成形され、この遮光筒の前方に突出するように遮光枠が一体に設けられているから、より一層安定した露光を行うことができる。
【図面の簡単な説明】
【図１】本発明を実施したレンズ付きフイルムユニットの外観斜視図である。
【図２】図１で説明したレンズ付きフイルムユニットの後カバーを取り外した状態を示す分解斜視図であり、背面側から見ている。
【図３】ユニット本体の斜視図である。
【図４】本体枠と遮光枠との構成を示す斜視図である。
【図５】撮影レンズ、暗箱、本体枠、遮光枠の構成を示す断面図である。
【図６】図５における断面図の撮影時の光線の動きを示す説明図である。
【図７】図５における断面図の撮影時の撮影画角外の光線の動きを示す説明図である。
【符号の説明】
２　レンズ付きフイルムユニット
４　撮影レンズ
１１　ユニット本体
１５　パトローネ
１６　パトローネ収納室
１７　写真フイルム
１８　フイルム収納室
１９　アパーチャ
２１　本体枠
２２　露光ユニット
２３　前側遮光枠
２３ａ　遮光リブ
２３ｂ　遮光壁
２３ｃ　接続ボス
２３ｄ　開口部
２４　後側遮光枠
２５　暗箱
２５ａ　露光開口
【図１】
2004145124.tif 000003
【図２】
2004145124.tif 000004
【図３】
2004145124.tif 000005
【図４】
2004145124.tif 000006
【図５】
2004145124.tif 000007
【図６】
2004145124.tif 000008
【図７】
2004145124.tif 000009